(57)【要約】【課題】竿の長さを自在に調節できると共に、複数の竿部材を確実に接続することができ、かつコンパクトな伸縮式物干竿を提供する。【解決手段】円筒状の竿本体部２と、該竿本体部２の一端に設けられ、引出し又は収納自在に挿入され長さ調節可能となされた伸縮竿部３と、を備えた物干竿本体１と、前記竿本体部２の他端２２に挿入され、前記物干竿本体１  ２本を一直線状に連結する短尺の連結棒４とからなり、前記連結棒４の両端部にネジ部４２１が設けられ、前記連結棒４が挿入される前記物干竿本体１の内側にもネジ部２３４が設けられて前記ネジ部どおしが螺合されることにより、前記連結棒４と物干竿本体１とが連結されるようにする。【選択図】        図１
2015229058.tif 000002
【特許請求の範囲】
【請求項１】
円筒状の竿本体部と、該竿本体部の一端に設けられ、引出し又は収納自在に挿入され長さ調節可能となされた伸縮竿部と、を備えた物干竿本体と、前記竿本体部の他端に挿入され、前記物干竿本体２本を一直線状に連結する短尺の連結棒とからなり、前記連結棒の両端部にネジ部が設けられ、前記連結棒が挿入される前記物干竿本体の内側にもネジ部が設けられて前記ネジ部どおしが螺合されることにより、前記連結棒と物干竿本体とが連結されることを特徴とする伸縮式物干竿。
【請求項２】
２本の前記物干竿本体が前記連結棒を介して一直線状に連結された状態において、２本の前記物干竿本体の相対向する端縁どうしが当接されていることを特徴とする請求項１に記載の伸縮式物干竿。
【請求項３】
前記物干竿本体の竿本体部は、前記伸縮竿部が設けられていない他端側に、別体の筒状体が少なくとも１個以上螺合されて形成されることを特徴とする請求項１又は２に記載の伸縮式物干竿。
【発明の詳細な説明】
【技術分野】
【０００１】
本発明は、洗濯物を掛けて乾燥させる際に用いる物干竿、さらに詳細には、竿の長さを自在に調節できると共に、物干竿を極めてコンパクトな状態で収納・保管できる伸縮式物干竿に関するものである。
【背景技術】
【０００２】
従来から、竿の長さを自在に調節できる伸縮式物干竿に関しては種々の発明がなされており、例えば、所定の長さを有する本体パイプの両端それぞれに、伸縮するパイプを内挿しているものがある。この様な構造の物干竿を使用するときは、まず、本体パイプの両端に内挿しているパイプを引き出し、物干竿の全体を所定の長さに伸ばした状態とする。また、物干竿を使用しないときは、引き出しているそれぞれのパイプを本体パイプの中に押し込むものである。
【０００３】
また、例えば特許文献１に記載されている様に、本体パイプと、本体パイプ内に挿入して接続する分離可能な継パイプとから成り、本体パイプの一端には、継パイプを固定するジョイント部を備え、前記本体パイプは、その他端側において伸縮するパイプを内挿している伸縮式物干竿も開示されている。
【先行技術文献】
【特許文献】
【０００４】
【特許文献１】実用新案登録第３０８４４４４号公報
【発明の概要】
【発明が解決しようとする課題】
【０００５】
しかしながら、上記従来の伸縮式物干竿においては、竿の長さを自在に調節できると共に、物干竿の全体をコンパクトな状態にしてその収納・保管・運搬が容易にすることができるものの、ジョイント部は、本体パイプの一端に固定した筒状のジョイント基部と、ジョイント基部に捻じ込んで取り付ける筒状のねじ部とから成り、ジョイント基部は、筒体の付根側の周面に雄ネジ部を設け、筒体の先端側には、継パイプの外周面に当接可能で、連続した周面により形成された薄肉状の当接片を備え、ねじ部は、筒体の内周面に雌ネジ部を設け、筒体の先端側に、ジョイント基部の当接片を内径側に押圧するよう雌ネジ部側から先端側に向けて次第に縮径したテーパー部を備えてなり、伸縮式物干竿を使用するときは、ねじ部の開口孔に継パイプを貫挿させ、そのままの状態で継パイプの一端を本体パイプ内に挿入し、継パイプの長さを決めてから、ジョイント基部にねじ部を捻じ込むことにより、ジョイント基部の当接片が、雌ネジ部側から先端側に向けて次第に縮径したねじ部のテーパー部に当たって、その全体が内径側に押圧され、当接片の内周面と継パイプの外周面とが面どおしで強く接して、本体パイプ内における継パイプの移動を阻止する様にして本体パイプと継パイプとが固定されるため、ねじ部の捻じ込み方が少しでも足らないと、容易に継パイプがずれてしまうと言う懸念が生じるものであった。
【０００６】
本発明は、竿の長さを自在に調節できると共に、複数の竿部材を確実に接続することができ、かつコンパクトな伸縮式物干竿を提供せんとするものである。
【課題を解決するための手段】
【０００７】
上記目的を達成するために、本発明は次のような構成としている。
すなわち本発明に係る伸縮式物干竿は、円筒状の竿本体部と、該竿本体部の一端に設けられ、引出し又は収納自在に挿入され長さ調節可能となされた伸縮竿部と、を備えた物干竿本体と、前記竿本体部の他端に挿入され、前記物干竿本体２本を一直線状に連結する短尺の連結棒とからなり、前記連結棒の両端部にネジ部が設けられ、前記連結棒が挿入される前記物干竿本体の内側にもネジ部が設けられて前記ネジ部どおしが螺合されることにより、前記連結棒と物干竿本体とが連結されることを特徴とするものである。
【０００８】
また本発明に係る伸縮式物干竿において、２本の前記物干竿本体が前記連結棒を介して一直線状に連結された状態において、２本の前記物干竿本体の相対向する端縁どうしを当接するようにしてもよい。
【０００９】
また本発明に係る伸縮式物干竿において、前記物干竿本体の竿本体部を、前記伸縮竿部が設けられていない他端側に、別体の筒状体を少なくとも１個以上螺合して形成するようにしてもよい。
【発明の効果】
【００１０】
本発明に係る伸縮式物干竿によれば、円筒状の竿本体部と、該竿本体部の一端に設けられ、引出し又は収納自在に挿入され長さ調節可能となされた伸縮竿部と、を備えた物干竿本体と、前記竿本体部の他端に挿入され、前記物干竿本体２本を一直線状に連結する短尺の連結棒とからなり、前記連結棒の両端部にネジ部が設けられ、前記連結棒が挿入される前記物干竿本体の内側にもネジ部が設けられて前記ネジ部どおしが螺合されることにより、前記連結棒と物干竿本体とが連結されるため、ネジ部どおしを螺着するだけで、前記連結棒と前記物干竿本体とを確実に固定することができる。
【００１１】
また、本発明に係る伸縮式物干竿によれば、２本の前記物干竿本体の相対向する端縁どうしを当接するようにしているため、２本の前記物干竿本体の相対向する端縁が突っ張ることにより、２本の前記物干竿本体の接続箇所における強度を向上させることができ、洗濯物等を干すなどして、伸縮式物干竿に下向きに荷重が掛かっても、伸縮式物干竿の撓みを抑えることができる。
【００１２】
また、本発明に係る伸縮式物干竿によれば、前記物干竿本体の竿本体部を、前記伸縮竿部が設けられていない他端側に、別体の筒状体を少なくとも１個以上螺合して形成しているため、各部材をさらに短い長さにしつつ、所定の長さの伸縮式物干竿を形成することができ、よりコンパクトな梱包・収納形態の伸縮式物干竿となし、運送コストを低減でき、また展示する際のスペースもより小さくでき、購入者が持ち帰る際もより手軽にすることができる。
【図面の簡単な説明】
【００１３】
【図１】本発明に係る伸縮式物干竿を分解した状態を示す平面図である。
【図２】本発明に係る伸縮式物干竿を組立てる経過を示す平面図である。
【図３】竿本体部のソケットが取付けられている端部を示す断面図である。
【図４】連結棒の端部を示す断面図である。
【図５】本発明に係る伸縮式物干竿の別の形態を示す平面図である。
【図６】図５に示す伸縮式物干竿を分解した状態を示す平面図である。
【発明を実施するための形態】
【００１４】
次に、本発明を実施するための形態について図面を参照し、具体的に説明する。
【００１５】
Ｐは本発明に係る伸縮式物干竿であって、１は円筒状の竿本体部２と伸縮竿部３とを備えた物干竿本体、４は該物干竿本体１を連結する連結棒である。前記物干竿本体１は細長い円筒体であり、前記伸縮竿部３が備えられていない側の他端２２に、前記物干竿本体１より小径となされた前記連結棒４が挿入され、２本の前記物干竿本体１が前記連結棒４を介して一直線状に連結されて、前記連結棒４の左右に前記物干竿本体１が一直線状に配置されて、伸縮式物干竿Ｐが形成されている。
【００１６】
前記物干竿本体１は、細長い円筒体からなる前記竿本体部２と、該竿本体部２の一端２１に設けられ、引出し又は収納自在に挿入され長さ調節可能となされた細長い円筒体からなる伸縮竿部３とを備えている。また、前記伸縮竿部３は、前記竿本体部２に挿入されることから、その外径は前記竿本体部２の内径より小さくなされた細長い円筒体からなる。また、前記竿本体部２の前記伸縮竿部３が備えられていない側であって、前記連結棒４が挿入される側の他端２２には、例えばＡＢＳ等の合成樹脂で成形されたソケット２３が取付けられている。
【００１７】
前記ソケット２３は、前記竿本体部２に取付けられた状態で外方に露出する短円筒部２３１と、該短円筒部２３１から突設され、前記竿本体部２に挿入されると共にその内周面に当接する円筒状の挿入部２３２と、前記竿本体部２の厚み分、前記挿入部２３２と離間されて前記短円筒部２３１から突設されている円筒状の外筒部２３３と、前記挿入部２３２の短円筒部２３１と反対側に設けられている雌ネジ部２３４とを備えている。そして、前記挿入部２３２と前記外筒部２３３との間に形成される溝部２３５に、前記竿本体部２の端縁が前記短円筒部２３１に当接されるまで前記竿本体部２が挿入され、前記ソケット２３が前記竿本体部２に取付けられている。
【００１８】
前記竿本体部２は、例えばステンレススチール製で、約８００ｍｍ程度の長さに形成されている。また、前記伸縮竿部３も、前記竿本体部２と同一の素材を用いて、約８００ｍｍ程度の長さに形成され、前記竿本体部２に引出し又は収納自在に形成されている。そして、前記物干竿本体１は、前記竿本体部２に前記伸縮竿部３を収納した状態、すなわち最短の状態で、約９００ｍｍ程度の長さにすることができるようになされている。そして、前記伸縮竿部３の一方の端部には、円筒体の端部を覆う様にキャップ３１が装着されて、前記伸縮竿部３が前記竿本体部２に収納されている状態においては、前記キャップ３１は外方に露出した状態となされている。
【００１９】
前記連結棒４は、前記竿本体部２と同一の素材を用いて、約１００ｍｍ程度の長さに形成され、その両端部にはネジ部が設けられている。詳細には、前記連結棒４は円筒状の連結棒本体４１の両端に、前記物干竿本体１の竿本体部２のソケット２３の雌ネジ部２３４に螺合される雄ネジ部４２１が設けられたネジ体４２が取付けられている。該ネジ体４２は、リング状の基部４２２から前記雄ネジ部４２１が突設され、前記基部４２２の前記雄ネジ部４２１が突設されているのと反対側に、前記連結棒本体４１の内側面に当接される挿入筒部４２３が突設されている。
【００２０】
また、前記基部４２２の外径は、前記挿入筒部４２３の外径より、前記連棒本体４１の厚み分大きく形成されており、前記ネジ体４２の挿入筒部４２３を前記連結棒本体４１に挿入していくと、前記連結棒本体４１の端面が前記基部４２２に当接した状態で、前記基部４２２の外周面と前記連結棒本体４１の外周面とが面一となるようになされている。
【００２１】
次に、伸縮式物干竿Ｐの実施形態の一例を説明する。
まず、伸縮式物干竿Ｐが工場で製造され梱包された状態、或いは、その使用者が伸縮式物干竿Ｐを収納しておく際には、図１に示す様に、前記物干竿本体１は、その伸縮竿部３が前記竿本体部２に収納されて最短の状態になされて、梱包箱に収められたり、使用者が収納場所に収納している。
【００２２】
また、伸縮式物干竿Ｐを使用する時は、まず、図２（ａ）に示す様に、前記連結棒４の両端が２本の前記物干竿本体１の竿本体部２のソケット２３に挿入され、図２（ｂ）に示す様に、２本の前記物干竿本体１の相対向する端縁である前記ソケット２３の端縁２３６どうしが当接されて、前記連結棒４が２本の前記物干竿本体１によって外側から隠蔽されるまで、前記雄ネジ部４２１に前記ソケット２３の雌ネジ部２３４を捻じ込む。そして、図２（ｃ）に示す様に、前記物干竿本体１の伸縮部３を竿本体部２から引出して、伸縮式物干竿Ｐの長さを適宜調整して使用する。なお、図２（ｃ）に示す状態は、伸縮式物干竿Ｐが最長に伸ばされた状態である。
【００２３】
この様にすれば、上記の通り、前記連結棒４と前記物干竿本体１とを連結した状態で、前記ソケット２３の端面どおしが当接されることにより、お互いの物干竿本体１の竿本体部２どうしが突っ張り合い、前記物干竿本体１に洗濯物等を掛ける等して、伸縮式物干竿Ｐに下向きの荷重を掛けても、伸縮式物干竿Ｐの撓みを抑えることができる。
【００２４】
上記した本実施形態において、２本の前記物干竿本体１の相対向する端縁２３６どおしが当接されているが、これに限定されるものではなく、前記端縁２３６が離間した形態であってもよい。つまり、前記連結棒４が外方に露出した形態であってもよい。
【００２５】
次に、本発明に係る伸縮式物干竿の別の実施形態を図５、６に示す。本形態においては、前記物干竿本体１の竿本体部２を、前記伸縮竿部３が設けられていない他端２２側に、別体の筒状体５を１個螺合して形成している。更に詳細には、前記竿本体部２の一端２１と前記筒状体５ａ、５ｂの一端とに前記連結棒４ａ，ｂをそれぞれ螺入し、そして前記筒状体５ａ、５ｂの他端に前記連結棒４ｃを螺入して、伸縮式物干竿を形成している。なお、本形態においては、前記筒状体５と竿本体部２とを前記連結棒４で連結しているが、これに限定されるものではなく、前記筒状体５の一端に前記連結棒４の雄ネジ部４２１を設けるようにして、前記筒状体５の雄ネジ部を前記竿本体部２に螺入するようにして、連結しても良い。
【符号の説明】
【００２６】
１      物干竿本体
２      竿本体部
２１    一端
２２    他端
２３    ソケット
２３１  短円筒部
２３２  挿入部
２３３  外筒部
２３４  雌ネジ部
２３５  溝部
２３６  端縁
３      伸縮竿部
３１    キャップ
４      連結棒
４１    連結棒本体
４２    ネジ体
４２１  雄ネジ部
４２２  基部
４２３  挿入筒部
５      筒状体
Ｐ      伸縮式物干竿
【図１】
2015229058.tif 000003
【図２】
2015229058.tif 000004
【図３】
2015229058.tif 000005
【図４】
2015229058.tif 000006
【図５】
2015229058.tif 000007
【図６】
2015229058.tif 000008